(57)【要約】【課題】災害の現場で撮影された医用画像を撮影から経過した時間を把握した上で利用できるようにすること。【解決手段】時刻算出部２０１は、ＧＰＳ衛星からの電波が示す信号に基づいて現在の時刻を算出する。時刻出力部２０２は、時刻算出部２０１により算出された現在の時刻を医療活動支援装置１０に出力する。時刻同期部１０２は、タイムサーバ装置２０から出力されてきた現在の時刻に時計部１０１の時刻を同期させる。医用画像取得部１０３は、医用画像機器により撮影された医用画像を取得する。印刷用データ出力部１０５は、医用画像取得部１０３により取得された医用画像と、その医用画像の撮影日時とを印刷するための印刷用データを出力する。【選択図】図５
2018028854.tif 000002
【特許請求の範囲】
【請求項１】
医用画像機器により撮影された医用画像を取得する取得部と、
取得された前記医用画像と、前記医用画像が撮影されたときの時刻とを印刷するための印刷用データを出力する出力部と
を備える医療活動支援装置。
【請求項２】
時計部と、
外部からの電波に基づいて現在の時刻を算出する外部装置から出力されてきた当該現在の時刻に前記時計部の時刻を同期させる同期部とを備え、
前記出力部は、前記時計部が示す時刻を前記医用画像が撮影されたときの時刻として前記印刷用データを出力する
請求項１に記載の医療活動支援装置。
【請求項３】
前記時計部は、内部電源で動作しており、
前記同期部は、前記内部電源以外の電源で動作しており、当該電源が投入されたことを契機として前記同期を行う
請求項２に記載の医療活動支援装置。
【請求項４】
前記出力部は、前記印刷用データを、前記医用画像を表示する機能及び当該医用画像の印刷を印刷手段に指示する機能を備えるＵＩ（User Interface）端末に無線で出力する
請求項１から３のいずれか１項に記載の医療活動支援装置。
【請求項５】
請求項２から４のいずれか１項に記載の医療活動支援装置と、
ＧＰＳ（Global Positioning System）衛星からの電波を受信するアンテナと、前記アンテナに接続されたケーブルと、前記ケーブルを介して前記アンテナが接続されて当該アンテナが受信したＧＰＳ衛星からの電波が示す信号に基づいて現在の時刻を算出する算出部と、算出された当該時刻を前記医療活動支援装置に出力する出力部とを備える時刻算出装置と
を備える医療活動支援システム。
【発明の詳細な説明】
【技術分野】
【０００１】
本発明は、災害の現場で医療活動を支援するための技術に関する。
【背景技術】
【０００２】
災害の現場で医療活動を支援するための技術が知られている。例えば特許文献１には、災害現場で使用される第１電子ペンで生成された記入情報と、搬送機関で使用される第２電子ペンで生成された記入情報のいずれであるかを判定して、傷病者の現場から医療機関に収容するまでの状況に応じた傷病者搬送情報を生成する技術が開示されている。
【先行技術文献】
【特許文献】
【０００３】
【特許文献１】特開２０１３−２２２３２８号公報
【発明の概要】
【発明が解決しようとする課題】
【０００４】
災害時には、災害の現場にＸ線装置などの医用画像機器が緊急車両等により搬送されてきて、患者の医用画像が撮影される場合がある。その場合、撮影された医用画像が搬送先の病院でも利用できることが望ましい。また、治療の際に怪我をしてからの経過時間が重要になる場合もあるため、医用画像が撮影されてから経過した時間を病院側で把握できることが望ましい。
そこで、本発明は、災害の現場で撮影された医用画像を撮影から経過した時間を把握した上で利用できるようにすることを目的とする。
【課題を解決するための手段】
【０００５】
上記目的を達成するために、本発明は、医用画像機器により撮影された医用画像を取得する取得部と、取得された前記医用画像と、前記医用画像が撮影されたときの時刻とを印刷するための印刷用データを出力する出力部とを備える医療活動支援装置を提供する。
【０００６】
また、時計部と、外部からの電波に基づいて現在の時刻を算出する外部装置から出力されてきた当該現在の時刻に前記時計部の時刻を同期させる同期部とを備え、前記出力部は、前記時計部が示す時刻を前記医用画像が撮影されたときの時刻として前記印刷用データを出力してもよい。
さらに、前記時計部は、内部電源で動作しており、前記同期部は、前記内部電源以外の電源で動作しており、当該電源が投入されたことを契機として前記同期を行ってもよい。
また、前記出力部は、前記印刷用データを、前記医用画像を表示する機能及び当該医用画像の印刷を印刷手段に指示する機能を備えるＵＩ（User Interface）端末に無線で出力してもよい。
【０００７】
また、本発明は、上記の医療活動支援装置と、ＧＰＳ（Global Positioning System）衛星からの電波を受信するアンテナと、前記アンテナに接続されたケーブルと、前記ケーブルを介して前記アンテナが接続されて当該アンテナが受信したＧＰＳ衛星からの電波が示す信号に基づいて現在の時刻を算出する算出部と、算出された当該時刻を前記医療活動支援装置に出力する出力部とを備える時刻算出装置とを備える医療活動支援システムを提供する。
【発明の効果】
【０００８】
本発明によれば、災害の現場で撮影された医用画像を撮影から経過した時間を把握した上で利用できるようにすることができる。
【図面の簡単な説明】
【０００９】
【図１】実施例に係る医療活動支援システムの全体構成を表す図
【図２】医療活動支援装置のハードウェア構成を表す図
【図３】タイムサーバ装置のハードウェア構成を表す図
【図４】ＵＩ端末のハードウェア構成を表す図
【図５】医療活動支援システムの各装置が実現する機能構成を表す図
【図６】表示された印刷用データの一例を表す図
【図７】患者シートに印刷された印刷用データの一例を表す図
【図８】印刷処理における各装置の動作手順の一例を表す図
【発明を実施するための形態】
【００１０】
［１］実施例
図１は実施例に係る医療活動支援システム１の全体構成を表す。医療活動支援システム１は、災害が発生した現場での医療活動を支援するためのシステムである。医療活動支援システム１は、医用画像機器２と、プリンタ３と、無線ＬＡＮ（Local Area Network）ルータ４と、医療活動支援装置１０と、タイムサーバ装置２０と、ＵＩ（User Interface）端末３０とを備える。
【００１１】
無線ＬＡＮルータ４は、無線ＬＡＮの規格に準拠した無線通信を行う装置であり、医用画像機器２、医療活動支援装置１０、タイムサーバ装置２０及びＵＩ端末３０の無線通信によるデータのやり取りを仲介する。なお、図１の構成は一例であり、各装置間の通信が有線で行われてもよい。また、無線ＬＡＮルータ４を介さずに各装置が互いにＰ２Ｐ（Peer to Peer）で通信を行ってもよい。
【００１２】
医用画像機器２は、Ｘ線画像、ＣＴ（Computed Tomography）画像、ＭＲＩ（Magnetic Resonance Imaging）画像及び超音波断層画像等の医療に用いる画像を撮影する機器である。医用画像機器２は、救急車両及び救急医療用ヘリコプター等によって災害の現場まで運ばれて患者の医用画像を撮影する。医用画像機器２は、ＤＩＣＯＭ（Digital Imaging and COmmunication in Medicine）に準拠して医用画像の生成及び通信を行う。
【００１３】
ＤＩＣＯＭとは、米国放射線学会（ＡＣＲ：American College of Radiology）と北米電子機器工業会（ＮＥＭＡ：National Electrical Manufacturers Association）が開発した、医用画像のフォーマット及び医用画像機器間の通信プロトコルを定義した標準規格である。医療活動支援装置１０も、このＤＩＣＯＭに準拠したデータの処理及び通信を行う。医用画像機器２は、撮影した医用画像をＤＩＣＯＭフォーマットで生成し、ＤＩＣＯＭの通信プロトコルで医療活動支援装置１０に送信する。
【００１４】
医療活動支援装置１０は、災害現場での医療活動を支援するために用いられる医用画像などの情報を処理する情報処理装置である。医療活動支援装置１０は、医用画像機器２から送信されてきた医用画像を受信し、受信した医用画像をＵＩ端末３０に表示させるための処理や、その医用画像をプリンタ３に印刷させるための処理を行う。
【００１５】
タイムサーバ装置２０は、外部からの電波に基づいて現在の時刻を算出する処理を行う情報処理装置である。タイムサーバ装置２０は、本実施例では、ＧＰＳ（Global Positioning System）衛星からの電波に基づいて時刻を算出する。タイムサーバ装置２０がＮＴＰ（Network Time Protocol：ネットワークに接続された機器の時計の時刻を同期するための通信プロトコル）に準拠した通信を行うことで、医療活動支援装置１０の内蔵時計及び医用画像機器２の内蔵時計の時刻がタイムサーバ装置２０の算出した時刻に同期される。なお、内蔵時計が年月日及び曜日等も示す場合、それらも合わせて同期されてもよい。
【００１６】
ＵＩ端末３０は、医用画像の表示及び医療活動支援装置１０の操作の受け付け等の処理を行うユーザインターフェースとなる端末装置である。プリンタ３は、患者に渡す用紙等の媒体（以下「患者シート」という）に医用画像を印刷する印刷手段である。医療活動支援システム１を利用する医療従事者及び救急隊員等のユーザがＵＩ端末３０に医用画像を表示させてその医用画像を患者シートに印刷する操作を行うと、ＵＩ端末３０から印刷の指示がされてプリンタ３が医用画像を患者シートに印刷する。こうして医用画像が印刷された患者シートを患者に持たせることで、患者が搬送先の病院でその患者シートを医師に渡して自分の容態を診察する参考にしてもらうことができる。
【００１７】
図２は医療活動支援装置１０のハードウェア構成を表す。医療活動支援装置１０は、ＣＰＵ（Central Processing Unit）１１と、ＲＡＭ（Random Access Memory）１２と、ＲＯＭ（Read Only Memory）１３と、ストレージ１４と、第１通信部１５と、第２通信部１６と、内蔵時計１７とを備えるコンピュータである。ＣＰＵ１１は、ＲＡＭ１２をワークエリアとして用いてＲＯＭ１３やストレージ１４に記憶されているプログラムを実行することで各部の動作を制御する。
【００１８】
ストレージ１４は、ＨＤＤ（Hard Disk Drive）、ＳＳＤ（Solid State Drive）及びフラッシュメモリ等の記憶手段であり、ＣＰＵ１１が制御に用いるデータやプログラムを記憶している。第１通信部１５は、有線ＬＡＮの規格に準拠した通信を行う通信回路を有し、外部装置と有線通信を行う。第２通信部１６は、無線ＬＡＮの規格に準拠した無線通信を行う通信回路を有し、外部装置と無線通信を行う。
【００１９】
内蔵時計１７は、医療活動支援装置１０の内部に設けられており、時計用電池１８から供給される電力で稼働する。時計用電池１８は、内蔵時計１７に電力を供給する電源である。時計用電池１８は本発明の「内部電源」の一例である。バッテリー１９は、内蔵時計１７以外の各部に電力を供給する電源である。バッテリー１９は本発明の「内部電源以外の電源」の一例である。
【００２０】
図３はタイムサーバ装置２０のハードウェア構成を表す。タイムサーバ装置２０は、ＣＰＵ２１と、ＲＡＭ２２と、ＲＯＭ２３と、ストレージ２４と、通信部２５と、Ｉ／Ｆ（Inter Face）２６と、アンテナ２７と、ケーブル２８と、バッテリー２９とを備えるコンピュータである。ＣＰＵ２１からストレージ２４までは、図２に表す同名のハードウェアと共通するハードウェアである。
【００２１】
通信部２５は、無線ＬＡＮの規格に準拠した通信を行う通信回路を有し、外部装置と有線通信を行う。Ｉ／Ｆ２６は、自装置の筐体の外部に露出する端子を備える。ケーブル２８は、一方の端がＩ／Ｆ２６の端子に接続され、他方の端子がアンテナ２７に接続されている。つまり、アンテナ２７は、ケーブル２８を介してタイムサーバ装置２０の筐体に接続されている。アンテナ２７は、ＧＰＳ衛星からの電波を受信する。アンテナ２７が受信した電波が示す信号は、ケーブル２８を介してＩ／Ｆ２６に供給される。Ｉ／Ｆ２６は、供給された信号をＡ／Ｄ（Analog/Digital）変換してＣＰＵ２１に伝えるインターフェースである。バッテリー２９は、自装置の各部に電力を供給する電源である。
【００２２】
図４はＵＩ端末３０のハードウェア構成を表す。ＵＩ端末３０は、ＣＰＵ３１と、ＲＡＭ３２と、ＲＯＭ３３と、ストレージ３４と、第１通信部３５と、第２通信部３６と、タッチスクリーン３７とを備えるコンピュータである。ＣＰＵ３１からＲＯＭ３３までは、図２に表す同名のハードウェアと共通するハードウェアである。ストレージ３４は、フラッシュメモリ等の記憶手段であり、ＣＰＵ３１が制御に用いるデータやプログラムを記憶している。
【００２３】
第１通信部３５は、無線ＬＡＮの規格に準拠した無線通信を行う通信回路を有し、外部装置と無線通信を行う。第２通信部３６は、例えばＢｌｕｅｔｏｏｔｈ（登録商標）に準拠した無線通信を行う通信回路を有し、外部装置と無線通信を行う。タッチスクリーン３７は、自装置の表示手段であるディスプレイと、ディスプレイの表面に設けられたタッチパネルとを備え、画像を表示するとともに、ユーザからの操作を受け付ける。
【００２４】
医療活動支援システム１が備える各装置のＣＰＵがプログラムを実行して各部を制御することで、以下に述べる機能が実現される。
図５は医療活動支援システム１の各装置が実現する機能構成を表す。医療活動支援装置１０は、時計部１０１と、時刻同期部１０２と、医用画像取得部１０３と、印刷用データ生成部１０４と、印刷用データ出力部１０５とを備える。タイムサーバ装置２０は、時刻算出部２０１と、時刻出力部２０２とを備える。ＵＩ端末３０は、印刷用データ表示部３０１と、印刷指示部３０２とを備える。
【００２５】
医療活動支援装置１０の時計部１０１は、自装置が備える内部電源（図２に表す時計用電池１８）から供給される電力で動作する内蔵時計である。一方、医療活動支援装置１０が備える時計部１０１以外の各部は、この内部電源以外の電源（図２に表すバッテリー１９）から供給される電力で動作する。
【００２６】
時計部１０１は、例えば通常の精度を有するクォーツ時計であるため、ひと月に数十数秒程度ずれる場合がある。一方、医療活動支援装置１０は災害時又は訓練時等にしか利用されないため、時計部１０１の時刻のずれを直す機会が少ない。そのため、災害発生時にはどれだけ時刻がずれているか分からないので、その時点で正確な時刻に合わせることが望ましい。その時刻合わせを時刻同期部１０２が行う。
【００２７】
時刻同期部１０２は、外部からの電波に基づいて現在の時刻を算出する外部装置であるタイムサーバ装置２０から出力されてきたその現在の時刻に時計部１０１の時刻を同期させる。時刻同期部１０２は本発明の「同期部」の一例である。時刻同期部１０２は、前述した内部電源以外の電源が投入されたことを契機として時計部１０１の時刻の同期を行う。具体的には、時刻同期部１０２は、電源から電力が供給されて動作を開始すると、まず、タイムサーバ装置２０に現在の時刻の出力を要求する要求データを送信する。
【００２８】
タイムサーバ装置２０の時刻出力部２０２は、医療活動支援装置１０から送信されてきた要求データを受け取ると、時刻算出部２０１に現在の時刻の算出を指示する。時刻算出部２０１は、図３に表すケーブル２８を介してアンテナ２７が接続されており、アンテナ２７が受信したＧＰＳ衛星からの電波が示す信号に基づいて現在の時刻を算出する。時刻算出部２０１は本発明の「算出部」の一例である。時刻算出部２０１は、ＧＰＳを時刻同期に利用する周知の技術を用いて現在の時刻を算出する。
【００２９】
時刻算出部２０１は、現在の時刻を算出すると、算出した時刻を示す時刻データを時刻出力部２０２に供給する。時刻出力部２０２は、供給された時刻データを医療活動支援装置１０に送信することで、時刻算出部２０１により算出された現在の時刻を医療活動支援装置１０に出力する。時刻出力部２０２は本発明の「出力部」の一例であり、タイムサーバ装置２０は本発明の「時刻算出装置」の一例である。
【００３０】
時刻同期部１０２は、送信されてきた時刻データを受け取ると、受け取った時刻データが示す時刻に時計部１０１の時刻を同期させる。このようにして、医療活動支援装置１０の電源が投入されたときに時計部１０１の時刻がより正確な時刻に合わせられるようになっている。
【００３１】
医用画像機器２には、内蔵時計を備えていて撮影した医用画像に撮影日時（撮影日及び撮影時刻）を付加する（具体的には、医用画像データのメタデータに撮影日時を付加する）ものと、内蔵時計を備えていないため、又は、内蔵時計を備えているが、撮影した医用画像に撮影日時を付加しないものとがある。時刻出力部２０２は、自装置と医用画像機器２との通信が可能な状態になると、上記の時刻データを医用画像機器２にも送信する。医用画像機器２は、内蔵時計を備えている場合、送信されてきた時刻データを受け取ると、受け取った時刻データが示す時刻に内蔵時計の時刻を同期させる。
【００３２】
医用画像取得部１０３は、図１に表す医用画像機器２により撮影された医用画像を取得する。医用画像取得部１０３は本発明の「取得部」の一例である。医用画像取得部１０３は、医用画像機器２からＤＩＣＯＭの通信プロトコルに準拠して送信されてくるＤＩＣＯＭフォーマットの医用画像を受信して、受信した医用画像を取得する。医用画像取得部１０３は、取得した医用画像を印刷用データ生成部１０４に供給する。
【００３３】
印刷用データ生成部１０４は、医用画像取得部１０３により取得された医用画像と、その医用画像が撮影されたときの撮影日時とを、上述した患者シートに印刷するための印刷用データを生成する。印刷用データ生成部１０４は、医用画像に撮影日時が付加されている場合には、その付加されている撮影日時及び医用画像を印刷するための印刷用データを生成する。
【００３４】
また、印刷用データ生成部１０４は、医用画像に撮影日時が付加されていない場合には、その医用画像が取得されたときの自装置の内蔵時計が示す時刻を撮影日時として、その撮影日時及び医用画像を印刷するための印刷用データを生成する。印刷用データとは、例えば医用画像及び印刷する時刻が配置された画像を示すデータである。印刷用データ生成部１０４は、印刷用データを生成すると、生成した印刷用データを印刷用データ出力部１０５に供給する。
【００３５】
印刷用データ出力部１０５は、印刷用データ生成部１０４から供給された印刷用データ、すなわち、医用画像取得部１０３により取得された医用画像と、その医用画像の撮影日時とを印刷するための印刷用データを出力する。印刷用データ出力部１０５は本発明の「出力部」の一例である。印刷用データ出力部１０５は、本実施例では、無線ＬＡＮに準拠した無線通信でＵＩ端末３０に向けて印刷用データを出力する。
【００３６】
印刷用データ表示部３０１は、医療活動支援装置１０から出力されてきた印刷用データが示す医用画像及び撮影日時（撮影日及び撮影時刻）を表示する。
図６は表示された印刷用データの一例を表す。図６の例では、印刷用データ表示部３０１が、自装置の表示手段であるタッチスクリーン３７に、患者のＸ線画像Ａ１と、Ｘ線画像Ａ１の撮影日時Ｂ１と、印刷開始ボタンＣ１とを表示している。印刷開始ボタンＣ１を選択する操作をユーザが行うと、印刷指示部３０２は、印刷用データ表示部３０１により表示されている印刷用データを患者シートに印刷するよう図１に表すプリンタ３に対して指示する。
【００３７】
印刷指示部３０２は、表示されている印刷用データであるＸ線画像Ａ１及び撮影日時Ｂ１を患者シートへの印刷用に配置した画像を生成し、その画像をプリンタ３が印刷可能なフォーマットで示した印刷指示データを生成する。印刷指示部３０２は、生成した印刷指示データをプリンタ３に無線で送信することで、印刷を指示する。このように、ＵＩ端末３０は、医用画像を表示する機能及び当該医用画像の印刷を印刷手段に指示する機能を備えている。プリンタ３は、受信した印刷指示データに基づいて画像を印刷する。
【００３８】
図７は患者シートに印刷された印刷用データの一例を表す。図７の例では、プリンタ３が、患者シートＤ１に、Ｘ線画像Ａ１と、撮影日時Ｂ１とを並べて印刷している。ユーザはこうして印刷された患者シートＤ１を患者に渡して、搬送先の病院で医師に渡すように指示する。患者はこの患者シートＤ１を持って救急車両等で病院まで搬送され、自分を診察する医師に患者シートＤ１を渡す。この医師は、Ｘ線画像Ａ１から患者の容態を判断し、さらに、撮影日時から患者の容態がどの程度変化しているかを想定して必要な治療方法を決定する。
【００３９】
医療活動支援システム１が備える各装置は、上記の構成に基づいて、患者シートに印刷用データを印刷する印刷処理を行う。
図８は印刷処理における各装置の動作手順の一例を表す。この動作手順は、災害現場において医療活動支援装置１０、タイムサーバ装置２０及び無線ＬＡＮルータ４の電源を投入することを契機に開始される。
【００４０】
まず、タイムサーバ装置２０（時刻算出部２０１）は、ＧＰＳ衛星の電波に基づいて現在の時刻を算出する（ステップＳ１）。次に、タイムサーバ装置２０（時刻出力部２０２）は、通信可能となった医用画像機器２に対して算出された現在の時刻を出力する（ステップＳ２）。医用画像機器２は、自装置の内蔵時計の時刻を出力されてきた現在の時刻に同期させる（ステップＳ３）。続いて、医用画像機器２は、患者の医用画像を撮影し（ステップＳ４）、撮影した医用画像及び撮影日時を示す撮影画像データを医療活動支援装置１０に送信する（ステップＳ５）。
【００４１】
次に、医療活動支援装置１０（時刻同期部１０２）が、現在の時刻の出力をタイムサーバ装置２０に対して要求する（ステップＳ１１）。タイムサーバ装置２０（時刻算出部２０１）は、この要求を受け取ると、ＧＰＳ衛星の電波に基づいて現在の時刻を算出する（ステップＳ１２）。タイムサーバ装置２０（時刻出力部２０２）は、算出された現在の時刻を医療活動支援装置１０に対して出力する（ステップＳ１３）。
【００４２】
医療活動支援装置１０（時刻同期部１０２）は、自装置の内蔵時計（時計部１０１）の時刻を出力されてきた現在の時刻に同期させる（ステップＳ１４）。なお、ステップＳ１〜Ｓ３とステップＳ１１〜Ｓ１４とは、どちらが先に行われてもよいし、並行して行われてもよい。また、ステップＳ１〜Ｓ３又はステップＳ１１〜Ｓ１４のいずれか一方だけが行われてもよい。
【００４３】
この後、ステップＳ５において医用画像機器２から医用画像が医療活動支援装置１０に送信されてくると、医療活動支援装置１０（医用画像取得部１０３）が、この医用画像機器２により撮影された医用画像を取得する（ステップＳ２１）。次に、医療活動支援装置１０（印刷用データ生成部１０４）は、取得された医用画像と、その医用画像の撮影日時とを印刷するための印刷用データを生成する（ステップＳ２２）。続いて、医療活動支援装置１０（印刷用データ出力部１０５）は、生成された印刷用データを出力する（ステップＳ２３）。
【００４４】
ＵＩ端末３０（印刷用データ表示部３０１）は、ステップＳ２３で出力されてきた印刷用データ（医用画像及び撮影日時）を表示する（ステップＳ２４）。次に、ＵＩ端末３０（印刷指示部３０２）は、表示した印刷用データを印刷する操作を受け付けると（ステップＳ２５）、その印刷を指示する印刷指示データを生成し（ステップＳ２６）、プリンタ３に対して印刷指示データを送信する（ステップＳ２７）。こうして図７に表すようにプリンタ３が医用画像及び時刻を患者シートに印刷する。
【００４５】
本実施例では、以上のとおり、患者シートに医用画像及びその医用画像の撮影日時が印刷される。この患者シートを渡された搬送先の病院の医師が印刷されている撮影日時から現在時刻までに経過した時間を計算すると、その時間は医用画像が撮影されてから経過した時間を表すことになる。このように、本実施例によれば、例えば患者が搬送された病院の医師が、災害の現場で撮影された医用画像を撮影から経過した時間を把握した上で利用することができる。
【００４６】
また、本実施例では、医用画像機器２の内蔵時計及び医療活動支援装置１０の内蔵時計がＧＰＳ衛星からの電波によってタイムサーバ装置２０が算出した現在の時刻に同期されるので、この同期がなされない場合に比べて、より正確な時刻を患者シートに印刷することができる。また、この同期を医用画像機器２がタイムサーバ装置２０と通信可能になる度に、及び、医療活動支援装置１０の電源が投入される度に行うので、内蔵時計がずれた状態のまま不正確な時刻が印刷されることを防ぐことができる。
【００４７】
また、本実施例では、医療活動支援装置１０がＵＩ端末３０に印刷用データを出力して表示させる。これにより、災害現場で活動するユーザがその場で医用画像を確認することができる。また、本実施例では、ＧＰＳのアンテナ２７がケーブル２８を介してタイムサーバ装置２０の筐体と接続されている。これにより、ＧＰＳ衛星の電波の届きにくいところ（例えばビルの谷間や屋内など）にタイムサーバ装置２０の筐体が設置された状況であっても、アンテナ２７だけを移動させてＧＰＳ衛星の電波が届きやすいところを見つければ、現在の時刻を算出することができる。
【００４８】
［２］変形例
上述した実施例は本発明の実施の一例に過ぎず、以下のように変形させてもよい。また、実施例及び各変形例は、必要に応じて組み合わせて実施してもよい。
【００４９】
［２−１］時刻算出部
タイムサーバ装置２０の時刻算出部２０１は、実施例ではＧＰＳ衛星の電波を用いて現在の時刻を算出したが、これに限らず、例えばアンテナ２７が受信した電波時計用の標準電波が示す信号に基づいて現在の時刻を算出してもよい。
【００５０】
［２−２］時刻同期部
医療活動支援装置１０の時刻同期部１０２は、実施例では内部電源以外の電源が投入されたことを契機として同期を行ったが、これに限らず、例えばユーザが特定の操作を行ったことを契機として同期を行ってもよいし、前回同期した時刻から一定時間が経過したことを契機として同期を行ってもよい。また、医用画像機器２の内蔵時計の同期も同様の契機に基づいて行われてもよい。
【００５１】
［２−３］時刻部
医療活動支援装置１０の時計部１０１は、実施例では他の各部とは異なる内部電源（図２に表す時計用電池１８）から電力が供給されていたが、これに限らず、他の各部と同じ電源（例えば図２に表すバッテリー１９）から電力が供給されてもよい。この場合、電力が落とされると時計部１０１の時計が止まってしまうが、例えば電源が投入される度に実施例で述べたように時刻が同期されることで、医療活動支援装置１０が動作している期間は正確な時刻を示すことになる。
【００５２】
［２−４］印刷用データ出力部
医療活動支援装置１０の印刷用データ出力部１０５は、実施例ではＵＩ端末３０に印刷用データを出力したが、これに限らず、例えばプリンタ３に直接印刷用データを出力してもよい。この場合、印刷用データ生成部１０４は、ＵＩ端末３０の印刷指示部３０２が生成した印刷指示データのように、プリンタ３が印刷可能なフォーマットで医用画像及び時刻を示したデータを印刷用データとして生成する。これにより、ＵＩ端末３０が災害現場になくても患者シートに医用画像及び時刻を印刷することができる。
【００５３】
［２−５］発明のカテゴリ
本発明は、医療活動支援装置の他、医療活動支援装置、タイムサーバ装置及びＵＩ端末を備える医療活動支援システムとして捉えられる。また、本発明は、各装置が実施する処理を実現するための情報処理方法としても捉えられるし、各装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【符号の説明】
【００５４】
１…医療活動支援システム、２…医用画像機器、３…プリンタ、１０…医療活動支援装置、２０…タイムサーバ装置、３０…ＵＩ端末、１０１…時計部、１０２…時刻同期部、１０３…医用画像取得部、１０４…印刷用データ生成部、１０５…印刷用データ出力部、２０１…時刻算出部、２０２…時刻出力部、３０１…印刷用データ表示部、３０２…印刷指示部。
【図１】
2018028854.tif 000003
【図２】
2018028854.tif 000004
【図３】
2018028854.tif 000005
【図４】
2018028854.tif 000006
【図５】
2018028854.tif 000007
【図６】
2018028854.tif 000008
【図７】
2018028854.tif 000009
【図８】
2018028854.tif 000010
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
医用画像機器により撮影された医用画像を取得する取得部と、
時計部と、
持ち運ばれて利用され且つ外部からの電波に基づいて現在の時刻を算出する時刻算出装置から算出された現在の時刻が出力されてくると、当該現在の時刻に前記時計部の時刻を同期させる同期部と、
取得された前記医用画像と、前記医用画像が撮影されたときの時刻とを印刷するための印刷用データを出力する出力部であって、前記医用画像機器の内蔵時計の時刻が前記医用画像に付加されている場合には当該時刻を前記医用画像が撮影されたときの時刻とし、当該時刻が前記医用画像に付加されていない場合には前記時計部が示す時刻を前記医用画像が撮影されたときの時刻として前記印刷用データを出力する出力部と
を備え、持ち運ばれて利用される医療活動支援装置。
【請求項２】
前記時計部は、内部電源で動作しており、
前記同期部は、前記内部電源以外の電源で動作しており、当該電源が投入されたことを契機として前記同期を行う
請求項１に記載の医療活動支援装置。
【請求項３】
前記出力部は、前記印刷用データを、前記医用画像を表示する機能及び当該医用画像の印刷を印刷手段に指示する機能を備えるＵＩ（User Interface）端末に無線で出力する
請求項１又は２に記載の医療活動支援装置。
【請求項４】
請求項１から３のいずれか１項に記載の医療活動支援装置と、
前記医用画像機器が内蔵時計を備えている場合には当該内蔵時計を前記現在の時刻に同期する前記時刻算出装置と
を備える医療活動支援システム。
【請求項５】
前記時刻算出装置は、
自装置の筐体の外部に露出する端子と、
前記端子に一端が接続されるケーブルと、
前記ケーブルの他端に接続され、且つ、ＧＰＳ（Global Positioning System）衛星からの電波を受信するアンテナであって、利用者によって前記筐体から離れた場所に移動可能な状態で利用されるアンテナと、
前記ケーブル及び前記端子を介して前記アンテナが接続されて当該アンテナが受信したＧＰＳ衛星からの電波が示す信号に基づいて現在の時刻を算出する算出部と、
算出された当該時刻を前記医療活動支援装置に出力する出力部とを備える
請求項４に記載の医療活動支援システム。
【手続補正２】
【補正対象書類名】明細書
【補正対象項目名】０００５
【補正方法】変更
【補正の内容】
【０００５】
上記目的を達成するために、本発明は、医用画像機器により撮影された医用画像を取得する取得部と、時計部と、外部からの電波に基づいて現在の時刻を算出して前記医用画像機器が内蔵時計を備えている場合には当該内蔵時計を前記現在の時刻に同期する外部装置から算出された現在の時刻が出力されてくると、当該現在の時刻に前記時計部の時刻を同期させる同期部と、取得された前記医用画像と、前記医用画像が撮影されたときの時刻とを印刷するための印刷用データを出力する出力部であって、前記医用画像機器の内蔵時計の時刻が前記医用画像に付加されている場合には当該時刻を前記医用画像が撮影されたときの時刻とし、当該時刻が前記医用画像に付加されていない場合には前記時計部が示す時刻を前記医用画像が撮影されたときの時刻として前記印刷用データを出力する出力部とを備え、持ち運ばれて利用される医療活動支援装置を提供する。
【手続補正３】
【補正対象書類名】明細書
【補正対象項目名】０００６
【補正方法】変更
【補正の内容】
【０００６】
また、前記時計部は、内部電源で動作しており、前記同期部は、前記内部電源以外の電源で動作しており、当該電源が投入されたことを契機として前記同期を行ってもよい。
また、前記出力部は、前記印刷用データを、前記医用画像を表示する機能及び当該医用画像の印刷を印刷手段に指示する機能を備えるＵＩ（User Interface）端末に無線で出力してもよい。
【手続補正４】
【補正対象書類名】明細書
【補正対象項目名】０００７
【補正方法】変更
【補正の内容】
【０００７】
また、本発明は、上記の医療活動支援装置と、前記医用画像機器が内蔵時計を備えている場合には当該内蔵時計を前記現在の時刻に同期する前記時刻算出装置とを備える医療活動支援システムを提供する。
さらに、自装置の筐体の外部に露出する端子と、前記端子に一端が接続されるケーブルと、前記ケーブルの他端に接続され、且つ、ＧＰＳ（Global Positioning System）衛星からの電波を受信するアンテナであって、利用者によって前記筐体から離れた場所に移動可能な状態で利用されるアンテナと、前記ケーブル及び前記端子を介して前記アンテナが接続されて当該アンテナが受信したＧＰＳ衛星からの電波が示す信号に基づいて現在の時刻を算出する算出部と、算出された当該時刻を前記医療活動支援装置に出力する出力部とを備え、持ち運ばれて利用される時刻算出装置とを備えていてもよい。